(57)【要約】      （修正有）【課題】薬品等の作業対象物を作業室へ搬入しやすいバイオハザード対策用キャビネットの敷設用グローブパネルを提供する。【解決手段】グローブパネル１００は、バイオハザード対策用キャビネットＣの作業室Ｃ１のシャッターＣ２と、作業台Ｃ３の間に設けられる作業用開口部Ｃ７を塞ぐように付設され、シート状の透明部材からなるシート部６、及びシート部６を貫通する挿腕孔６ａ周縁から延出するグローブ７を有するパネル部１と、パネル部１をキャビネットＣに固定する固定手段９と、を備え、パネル部１は、水平軸周りに回動する開き戸に形成されている。【選択図】図２
2015139766.tif 000002
【特許請求の範囲】
【請求項１】
作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口し前記作業室内を負圧にすべく前記作業室内の空気を吸引する吸引口と、を備えたバイオハザード対策用キャビネットの前記作業用開口部を塞ぐように付設されるグローブパネルであって、
シート状の透明部材からなるシート部、及び前記シート部を貫通する挿腕孔周縁から延出するグローブを有するパネル部と、
前記パネル部を前記バイオハザード対策用キャビネットに固定する固定手段と、
を備え、
前記パネル部は、水平軸周りに回動する開き戸に形成されていることを特徴とするグローブパネル。
【請求項２】
前記吸引口から吸引される空気が、前記パネル部の前後の両方から吸引されるよう前記バイオハザード対策用キャビネットに設置される請求項１に記載のグローブパネル。
【請求項３】
前記パネル部は、
前記グローブ、及び前記シート部を有するパネル部本体と、
前記パネル部本体を支持するとともに前記固定手段に軸支される枠部と、を有し、
前記パネル部本体が一体的に交換可能である請求項１、又は請求項２に記載のグローブパネル。
【発明の詳細な説明】
【技術分野】
【０００１】
本発明は、バイオハザード対策用キャビンネットに付設するグローブパネルに関する。
【背景技術】
【０００２】
近年、研究機関に留まらず、医療機関においてもルーチンワークとして行われる微生物の操作や抗がん剤の調製等に、バイオハザード対策用キャビネット（以下単に「キャビネット」ともいう）が広く用いられている。このバイオハザード対策用キャビネットは、ＪＩＳ規格（ＪＩＳＫ３８００）により、排気滅菌のみが義務付けられるクラスＩと、排気滅菌に加え、前面開口部にエアーバリアを作るとともに、作業室の清浄化が義務付けられるクラスIIと、排気滅菌、内部陰圧の確保、作業室の清浄化とグローブボックスの設置が義務付けられるクラスIIIの３つのクラスが規定されている。そして、クラスIIIのキャビネットは、作業室内で取扱う対象物を搬出入するパスルームを備えることから価格的にもスペース的にも導入ハードルが高く、医療機関等ではクラスIIキャビネットが広く用いられている。
【０００３】
ところが、クラスIIキャビネットでは、作業室前方のスライドガラスからなるシャッターを上方へスライドさせて設けた開口（以下「作業用開口部」）から作業室へ手を入れるため、エアカーテンのみでは有害物質や微生物等が作業室外へ拡散することを完全に防止できず、有害物質による被爆事故が発生するに至っている。
【０００４】
そこで、例えば、特許文献１ではキャビネットの作業用開口部に付設するグローブパネルが提案されている。また、本発明者は、特許文献２において、作業用開口部を塞ぐとともに、作業室へ腕を挿入するための挿腕孔を有するアタッチメントパネルを提案している。該アタッチメントパネルは、パネルへ挿入した腕を一対の半割リング状の腕巻きキャップにより締め付けて、挿腕孔周囲の間隙を閉塞して菌や有害物質の出入りを防止するよう構成したものである。
【先行技術文献】
【特許文献】
【０００５】
【特許文献１】特開２０１２‐２４６５７号公報
【特許文献２】実用新案登録第３１８５６０４号公報
【発明の概要】
【発明が解決しようとする課題】
【０００６】
しかし、特許文献１や特許文献２のグローブパネルでは、パネルを取付けた状態で作業対象物を作業室へ搬入する場合、シャッターを上方へスライドさせてシャッターの下端とパネルの上端の間の開口から作業対象物を搬入するため、当該開口から作業台まで距離があり作業性が悪いという問題がある。
【０００７】
本発明は上記課題に鑑みてなされたものであり、作業対象物を効率的に作業室へ搬入可能なバイオハザード対策用キャビネットの付設用グローブパネルの提供を目的とする。
【課題を解決するための手段】
【０００８】
上記課題を解決するためになされた発明は、作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口し前記作業室内を負圧にすべく前記作業室内の空気を吸引する吸引口と、を備えたバイオハザード対策用キャビネットの前記作業用開口部を塞ぐように付設されるグローブパネルであって、シート状の透明部材からなるシート部、及び前記シート部を貫通する挿腕孔周縁から延出するグローブを有するパネル部と、前記パネル部を前記バイオハザード対策用キャビネットに固定する固定手段と、を備え、前記パネル部は、水平軸周りに回動する開き戸に形成されていることを特徴とする。
【０００９】
このように、本発明のグローブパネルは、パネル部が水平軸周りに回動する開き戸に形成されているため、当該パネル部の上方又は下方を開いて作業対象物の搬入用開口を形成でき、当該搬入用開口は、スライド式シャッターを上方へスライドさせてスライドシャッターとグローブパネルの間に形成する搬入用開口より低位置で作業台に近いため、作業対象物の搬入や搬出を効率よく行うことができる。
【００１０】
本発明のグローブパネルは、前記吸引口から吸引される空気が、前記パネル部の前後の両方から吸引されるよう前記バイオハザード対策用キャビネットに設置されることが好ましい。このように、パネル部の後側（作業室内側）だけでなく前側（作業室外側）を通しても吸引口へ空気を吸引することで、パネル部の前後の両方にエアーバリアを形成し、グローブパネルとキャビネットとの間に生じる隙間から菌や塵埃が作業室内へ侵入する前にパネル部の前側で菌等を吸引口から吸引して遮断できるため、作業室へ菌等が侵入することを抑制できる。
【００１１】
前記パネル部は、前記グローブ、及び前記シート部を有するパネル部本体と、前記パネル部本体を支持するとともに前記固定手段に軸支される枠部と、を有し、前記パネル部本体が一体的に交換可能であることが好ましい。バイオハザード対策用キャビネットでは、グローブだけでなくシート部の内側にも菌や毒物が付着する可能性があるため、グローブ交換時にパネル部本体を一体的に交換可能とすることにより、パネル部本体に付着した毒物や菌等による作業者の被爆をより効果的に抑制することができる。
【発明の効果】
【００１２】
以上説明したように、本発明のグローブパネルによれば、バイオハザード対策用キャビネットの作業室へ作業対象物を効率的に搬入することができる。
【図面の簡単な説明】
【００１３】
【図１】本発明の一の実施形態に係るグローブパネルを取付けるバイオハザード対策用キャビネットを示す（ａ）正面図、及び（ｂ）側面図である。
【図２】図１のキャビネットに本発明の一の実施形態に係るグローブパネルを取付けた状態を示す（ａ）部分拡大正面図、及び（ｂ）部分拡大側面図である。
【図３】図２に示したグローブパネルの（ａ）平面図、（ｂ）正面図、（ｃ）Ｘ−Ｘ線断面図、（ｄ）背面図である。
【図４】図２に示したグローブパネルのパネル部と固定部材の結合部を示す部分拡大正面図である。
【図５】図２に示したグローブパネルにおける（ａ）作業時にパネル部を閉じた状態のＸ−Ｘ線断面図、（ｂ）パネル部本体を交換する際にパネル部を開放した状態のＸ−Ｘ線断面図、（ｃ）作業室内へ作業対象物を搬入する際にパネル部を開放した状態のＸ−Ｘ線断面図である。
【図６】図２に示したグローブパネルをキャビネットに取付ける様子を示す説明図である。
【図７】キャビネットの作業室内外の空気が流れる様子を示した説明図である。
【図８】パネル部の吸引口に対する位置と、室内外から吸引口へ吸引される空気との関係を示す説明図である。
【図９】外気侵入防止枠の効果を示す説明図である。
【発明を実施するための形態】
【００１４】
以下、適宜図面を用いながら本発明の実施形態について詳述する。
図１は、本発明の一の実施形態に係るグローブパネル１００を取付け可能なバイオハザード対策用キャビネットＣを示している。キャビネットＣは、ＪＩＳ規格（ＪＩＳＫ３８００）のクラスIIに規定される全排気型のキャビネットであり、図１に示すように、作業室Ｃ１と、作業室Ｃ１の前方に設けられ上下にスライドして作業室Ｃ１を開閉するシャッターＣ２と、作業室Ｃ１の底壁をなす作業台Ｃ３と、作業台Ｃ３の上面の手前側の端縁に沿って多数並列される前後方向のスリットからなる吸引口Ｃ４（図９参照）と、作業室Ｃ１の後方から室内空気を吸引する後方吸引口Ｃ１１と、両側壁Ｃ８と、吸引口Ｃ４及び後方吸引口Ｃ１１から吸引された空気を滅菌するフィルタ（不図示）が格納された排気ダクトＣ５と、滅菌された空気を外部へ排気する排気ファンＣ６と、外部から導入した空気をフィルタＣ１０で滅菌したのち上方から作業室Ｃ１へ給気する給気ファンＣ９とを有しており、シャッターＣ２を上方へスライドさせることでシャッターＣ２と作業台Ｃ３上面、及び両側壁Ｃ８で囲まれた作業用開口部Ｃ７が設けられる。作業者は、作業用開口部Ｃ７から作業室Ｃ１へ手を入れて作業を行う。
【００１５】
グローブパネル１００は、図２に示すように、キャビネットＣの作業用開口部Ｃ７を閉塞するようにキャビネットＣに付設され、パネル部１とパネル部１をキャビネットＣに固定するための固定手段９とを主に備える他、作業室Ｃ１内へ侵入した外気が、作業が行われる作業空間Ｃ１２（図９参照）へ浸入することを防止するための外気侵入防止板３を備えている。
【００１６】
パネル部１は、図３に示すように、パネル部本体４と、パネル部本体４を支持するとともに固定手段９に軸支される枠部５とを有している。パネル部１の下端部は、図８、図９に示すように、下端が吸引口Ｃ４の前後方向（図８の左右方向）の中間を通り、パネル部１の手前側から外部の空気Ｐを吸引するとともに作業室上方からの給気Ｑをパネル部１の後側から吸引するよう配設される。
【００１７】
ここで、図８（ａ）に示すように、吸引口Ｃ４の前端とパネル部１の下端との間隔Ａを小さくすると、作業室Ｃ１の陰圧が大きくなるため作業対象物からの毒物等が外部へ流出することを効果的に防止することができるが、間隔Ａが小さすぎると、外部から塵埃等が隙間を通して内部へ侵入する可能性が高くなり、作業室Ｃ１の清浄度が劣化する恐れがある。
【００１８】
逆に、間隔Ｂを大きくすると、作業室Ｃ１の陰圧度が下がるため、外部から侵入する塵埃等は少なくなるものの外部へ毒物等が流出する可能性が高くなる。これらのことを考慮して、間隔Ａと間隔Ｂの比率は、室外空気Ｐを吸引する割合と作業室Ｃ１内への給気Ｑをバランスよく吸引するように決定される。間隔Ａと間隔Ｂの比率は、吸引口Ｃ４から吸引される空気Ｐと作業室へ給気される給気Ｑとが、グローブパネルを取り付けない状態に概ね等しくなるよう決定されることが好ましい。
【００１９】
パネル部本体４は、図３に示すように、ビニール等の布状、あるいはアクリル等の板状の透明樹脂からなるシート部６とグローブ７とを備えている。シート部６は、厚み方向に貫通する貫通孔からなる左右一対の挿腕孔６ａを有し、グローブ７は、挿腕孔６ａの周縁から延出する円筒状の腕部７ａ、及び腕部７ａの延出方向先端の周縁に挿入口周縁を気密に連結される手部７ｂと、を有している。本実施形態では、シート部６と腕部７ｂとが一体に形成されている。腕部７ａの先端開口には不図示の固定用リングが設けられ、手部７ｂの挿入口へ腕部７ａの先端部を挿入したのち、外側から手部の挿入口周縁をゴム製の固定バンドで締め付けることにより、手部７ｂを腕部７ａへ連結する。
【００２０】
枠部５は、ステンレス等の金属鋼板を板金加工した複数の部材を組立てて形成され、上下端部を手前側へ垂直に折り曲げた金属板からなる枠部本体５１と、枠部本体５１の手前側の面の左右両端部に設けられる一対のピンボックス５２と、枠部本体５１との間にパネル部本体１のシート部６の上下端辺を挟持する上下一対のシート部挟持部材５３と、シート部６の左右の端辺を挟持する左右一対のシート挟持部材５４とを備えている。
【００２１】
枠部本体５１は、中央にパネル部本体４を設置する平坦部５１ａと、平坦部５１ａの中央に開口しグローブ７が挿通される矩形の窓部５１ｂとを有している。平坦部５１ａは、図４に示すように、左右両端部にパネル部本体４のシート部６に突き通してパネル部本体４を固定する固定針５５を有している。
【００２２】
一対のピンボックス５２，５２は、図４に示すように、それぞれ不図示の付勢手段により外側方へ付勢された上下２本の摺動ピン５６，５７と、摺動ピン５６，５７を外方へ突出させるロックボタン５６ａ，５７ａと、摺動ピン５６，５７を内方へ収容する解除ボタン５６ｂ，５７ｂとを有している。
【００２３】
シート挟持部材５３は、図５に示すように、断面コ字の長板状部材からなり、枠部本体５１前面の上下端部に蝶番を介して取付けられ、マグネットにより枠部本体５１の平坦部５１ａに接着してパネル部本体４のシート部６の横辺を挟持する。シート挟持部材５４は板状をなしマグネットにより枠部本体５の左右両端部に接着されてシート部６の縦辺を挟持する。シート挟持部材５４には、図４に示すように、固定針５５をかわすための貫通孔５４ａが設けられている。
【００２４】
固定部９は、角筒状の長尺部材からなり作業台Ｃ３の手前側端部に載置される敷居部９１と、敷居部９１の左右両端部に連結される一対の外気侵入防止枠９２と、左右一対のラッチ式金具９３とを備えている。
【００２５】
外気侵入防止枠９２は、直方体の箱状をなし手前側と上下の３方が概ね全面開口する一方で、左右方向の内側の側壁９２ｃと後壁９２ｄとで、作業用開口部Ｃ７の手前側左右の角部の空間を作業室Ｃ１の内部から隔離している。側壁９２ｃには、パネル部１のピンボックス５２から突出した摺動ピン５６を周縁で係止する矩形のピン係止孔９２ａが設けられ、上部にグローブパネル１００を吊り持つための取手９４が設けられている。また、外気侵入防止枠９２の左右の外側の側壁の手前側端縁には、キャビネットＣの側壁Ｃ８に係止するよう外側へ折り返された鍔状部９２ｂが形成されている。
【００２６】
外気侵入防止枠９２は、図９（ａ）に示すように、シャッターＣ２の側端部と側壁Ｃ８の隙間から入り込んだ汚れた外気Ｐを、側壁９２ｃと後壁９２ｄにより作業室Ｃ１の内方へ入り込まないように遮断するとともに、当該外気侵入防止枠９２内を通して下方の吸引口Ｃ４から吸引するよう構成されている。
【００２７】
ラッチ式金具９３は、図６に示すように、外気侵入防止枠９２の上部に設けられる。図６において、符号Ｃ８ａは、シャッターＣ２の側端部を案内する案内溝を示しており、グローブパネル１００は、図６（ｂ）に示すように、ラッチ式金具９３を外側方へ突出させて案内溝Ｃ８ａに挿入することによりキャビネットＣに付設され、図６（ａ）に示すように、ラッチ式金具９３を案内溝Ｃ８ａから退出させることにより、キャビネットＣから取り外し可能となる。
【００２８】
外気侵入防止板３は、図５に示すように、断面が上方に尖った略三角形状の長板状部材からなり、パネル部１の後方（作業室内側）において左右へ水平に延びるよう配設され、長手方向の軸回りに回動するよう両端部が外気侵入防止枠９２の内壁９２ｃに軸支されている。パネル部１の枠部本体５１の後側（作業室内側）の面の下端部には、図５に示すように、パネル部１の開閉動作に伴って外気侵入防止板３を回動操作するコ字金具５９が設けられ、外気侵入防止枠９２の内壁９２ｃの下部には、外気侵入防止板３が水平に倒れた際に支持するＬ字金具９５が設けられている。
【００２９】
コ字金具５９は、図５（ａ）に示すように、パネル部１を閉じると外気侵入防止板３を幅方向手前側が起立するよう傾斜させ、図５（ｂ）に示すように、パネル部１を開けると外気侵入防止板３を水平に復帰させる。
【００３０】
次に、グローブパネル１００をキャビネットＣに付設する手順について説明する。
まず、キャビネットＣのシャッターＣ２を上方へスライドさせてシャッターＣ２と作業台Ｃ３との間に作業用開口部Ｃ７を設け、図６に示すように、固定部９の、敷居部９１をキャビネットＣの作業台Ｃ３上面の手前側端縁に、鍔状部９ｂを左右の側壁Ｃ８に係止するように、グローブパネル１００をキャビネットＣの作業台Ｃ３上に載置する。しかる後、側壁Ｃ８の案内溝Ｃ８ａにラッチ式金具９３を差し込んで、グローブパネル１００をキャビネットＣに固定する。
【００３１】
また、グローブパネル１００を付設したキャビネットＣを用いて作業を行う手順について説明すると、作業室Ｃ１内へ薬剤等の作業対象物を搬入する場合には、解除ボタン５６ｂを押して摺動ピン５６を解除し、図５（ｃ）に示すように、固定金具５８（５８１，５８２からなる）を外して、摺動ピン５７を軸にパネル部１を後方（図５の右側）へ倒す。このとき、外気侵入防止板３は自重によりＬ字金具９５に係止するまで前方へ倒れるため、パネル部１を大きく倒すことができ、搬入用開口１０をより大きく開放することができる。また、グローブパネル１００は、パネル部１を、図５（ｃ）のように完全に奥側に倒しても、パネル部１の手前側から吸引口Ｃ４へ空気を吸引できるため、作業対象物の搬入出の際に作業者が毒物等により被爆することを効率的に抑制することができる。
【００３２】
作業対象物を作業室Ｃ１内へ搬入すると、図５（ａ）に示すように、パネル部１を閉じて、固定金具５８をロックしロックボタン５６ａを押して摺動ピン５６をピン係止孔９２ａに挿入し、ピン係止孔９２ａの手前側端縁に係止させる。このとき、コ字金具５９が外気侵入防止板３を持ち上げ、吸引口Ｃ４の後側で立壁状に起立させる。
【００３３】
図７は、グローブパネル１００を取付けた状態の作業室Ｃ１内外の空気の流れを示しており、作業室Ｃ１内では、フィルタＣ１０を通して作業室Ｃ１内へ送出された給気Ｑが、作業室前方の吸引部Ｃ４と、後方吸引口Ｃ１１とに分かれて吸引され、作業室Ｃ１外では、グローブパネル１００の手前側から、外気Ｐが吸引口Ｃ４へ吸引される。吸引口Ｃ４へ吸引された空気は、後方吸引口Ｃ１１から吸引された空気と合流したのち排気ファンＣ６により外部へ排出される。
【００３４】
ここで、図９を用いて、外気侵入防止板３の効果に付いて説明する。図９（ｂ）は、外気侵入防止板３を設けない場合を示し、図９（ｃ）は、外気侵入防止板３を設ける場合を示している。図９（ｂ）に示すように、外気侵入防止枠３を設けない場合は、シャッターＣ２と側壁Ｃ８の間から作業室Ｃ１へ侵入した外気Ｐは、作業室Ｃ１内方の作業空間Ｃ１２（図の仮想線より右側）にまで流入した後、給気Ｑの下降流に押されて下降し、吸引口Ｃ４へ吸引される。これに対し、図９（ｃ）に示すように、外気侵入防止板３を設けてこれを起立させると、吸引口Ｃ４が実質的に高くなることで、給気Ｑが、図９（ｂ）の場合より高い位置で手前側へと方向転換し、これにより、上記の隙間から侵入した外気Ｐは作業空間Ｃ１２のより手前側で下降を始めるため、外気Ｐが作業空間Ｃ１２へ侵入することを抑制できる。
【００３５】
次に、パネル本体４を交換するときは、図５（ｂ）に示すように、摺動ピン５６をピン係止孔９２ａに挿入したまま固定金具５８を解除してパネル部１を奥側へ倒す。すると、摺動ピン５６がピン係止孔９２ａの下端辺に係止し、パネル部１はやや傾いた状態で停止する。一方、外気侵入防止板３はコ字金具５９の支持が外れて幅方向が水平になるまで倒れる。このようにしてパネル部１と外気侵入防止板３の間に空間を設け、パネル部本体４（グローブ７）を噛み込まないようにしている。この状態で、シート部挟持部材５３、５４を開き、固定針５５からシート部を外したのちパネル部本体４をパネル部１の奥側へ引き抜くようにして取り外す。取り外したパネル部本体４は、作業室Ｃ１内でビニール袋等内へ密封してから作業室Ｃ１外へ取り出す。
【００３６】
以上、説明したように、本実施形態のグローブパネル１００は、水平軸周りに回動する開き戸式にパネル部１を開けるため、シャッターＣ２を持ち上げて搬入用の開口部を設ける場合に比べて搬入用開口が低位置になるため作業対象物の搬入が容易である。
【００３７】
また、グローブパネル１００は、パネル部１の上端側が開くため、合わせてキャビネットＣのシャッターＣ２を上方へスライドさせることで、パネル部１を開いただけでは投入できないような大きい作業対象物を搬入することができ、パネル部１を開く際、パネル部１の上端側が奥に倒れるため、パネル部１に付着した毒物等が外部へ流出しにくい。
【００３８】
また、グローブパネル１００は、パネル部１の手前側から外部の空気を吸引するとともに、奥側から作業室Ｃ１内の空気をバランスよく吸引するため、室外からの塵埃や細菌等の作業室Ｃ１内への侵入と、室内からの毒物等の流出とを効果的に抑制する。
【００３９】
さらに、左右の端部に外気吸引防止枠９２の側壁９２ｃと後壁９２ｄで作業用開口部Ｃ７の両端部を作業室Ｃ１内部から隔離するとともに、外気侵入防止板３により吸引口Ｃ４を実質的に高くすることにより、キャビネット側壁Ｃ８とシャッターＣ２の間から入り込んだ汚れた空気が作業室Ｃ１内部まで侵入することを抑制できる。
【００４０】
加えて、グローブパネル１００は、ラッチ式金具９３をシャッターＣ２の案内溝に差し込むことで、キャビネットＣに固定するため、キャビネットＣに改造を加えることなく着脱可能であるという効果を有するため、グローブパネルを外した元の状態でバイオハザード対策用キャビネットの定期検査を実施することができる。
【００４１】
本発明のグローブパネルは、上記の実施形態に限らず、パネル部は下端側が開くように回動してもよい。パネル部は奥側に押して開くものに限らず手前側に引いて開くようにしてもよい。パネル部の下端は、キャビネットの吸引口Ｃ４がパネル部の奥側のみから空気を吸引するような位置に配設してもよい。外気吸引防止枠９２、及び外気吸引防止板３は備えなくてもよい。グローブは、腕部と手部を一体にし、グローブとシート部とを別体にして腕部の基端部をシート部に着脱するようにしてもよい。シート部は板状でもよいし、布状でもよい。また、本発明のグローブパネルは、吸引口がスリット状に限らず、円形孔や他の形状のキャビネットにも適用可能である。
【符号の説明】
【００４２】
１００  グローブパネル
１  パネル部
４  パネル部本体
５  枠部
６  シート部
６ａ  挿腕孔
７  グローブ
９  固定手段
Ｃ  バイオハザード対策用キャビネット
Ｃ１  作業室
Ｃ２  シャッター
Ｃ３  作業台
Ｃ４  吸引口
Ｃ７  作業用開口部
【図１】
2015139766.tif 000003
【図２】
2015139766.tif 000004
【図３】
2015139766.tif 000005
【図４】
2015139766.tif 000006
【図５】
2015139766.tif 000007
【図６】
2015139766.tif 000008
【図７】
2015139766.tif 000009
【図８】
2015139766.tif 000010
【図９】
2015139766.tif 000011
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口するとともに前記作業台の手前側の端縁に沿って配列され前記作業室内を負圧にすべく前記作業室内の空気を吸引する複数の吸引口と、を備えたバイオハザード対策用キャビネットの前記作業用開口部を塞ぐように付設されるグローブパネルであって、
シート状の透明部材からなるシート部、及び前記シート部を貫通する挿腕孔周縁から延出するグローブを有し、水平軸周りに回動する開き戸に形成されたパネル部と、
前記パネル部を軸支するとともに前記バイオハザード対策用キャビネットに固定する固定手段と、
を備え、
前記パネル部が少なくとも閉じた状態において、前記パネル部の下端部が、前記作業台の上面前部における前記複数の吸引口の存する部分の前後方向の中間を通るようにして、前記パネル部の前後の両方から空気が吸引されるよう前記バイオハザード対策用キャビネットに付設可能に構成されていることを特徴とするグローブパネル。
【請求項２】
作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口し前記作業室内を負圧にすべく前記作業室内の空気を吸引する吸引口と、を備えたバイオハザード対策用キャビネットの前記作業用開口部を塞ぐように付設されるグローブパネルであって、
シート状の透明部材からなるシート部、及び前記シート部を貫通する挿腕孔周縁から延出するグローブを有し、水平軸周りに回動する開き戸に形成されたパネル部と、
前記パネル部を軸支するとともに前記バイオハザード対策用キャビネットに固定する固定手段と、
を備え、
前記パネル部は、上端側が開放するよう回動することを特徴とするグローブパネル。
【請求項３】
前記パネル部は、奥側に倒れるよう回動する請求項２に記載のグローブパネル。
【請求項４】
作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口するとともに前記作業台の手前側の端縁に沿って配列され前記作業室内を負圧にすべく前記作業室内の空気を吸引する複数の吸引口と、を備えたバイオハザード対策用キャビネットの前記作業用開口部を塞ぐように付設されるグローブパネルであって、
シート状の透明部材からなるシート部、及び前記シート部を貫通する挿腕孔周縁から延出するグローブを有し、水平軸周りに回動する開き戸に形成されたパネル部と、
前記パネル部を軸支するとともに前記バイオハザード対策用キャビネットに固定する固定手段と、
前記パネル部の前記作業室側において前記パネル部と平行に配設される長板状の外気侵入防止板と、
を備え、
前記パネル部と前記外気侵入防止板との間を通って、前記作業室の空気が前記複数の吸引口に吸引されるよう前記バイオハザード対策用キャビネットに付設可能に構成されていることを特徴とするグローブパネル。
【請求項５】
作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口するとともに前記作業台の手前側の端縁に沿って配列され前記作業室内を負圧にすべく前記作業室内の空気を吸引する複数の吸引口と、を備えたバイオハザード対策用キャビネットの前記作業用開口部を塞ぐように付設されるグローブパネルであって、
シート状の透明部材からなるシート部、及び前記シート部を貫通する挿腕孔周縁から延出するグローブを有し、水平軸周りに回動する開き戸に形成されたパネル部と、
前記パネル部を軸支するとともに前記バイオハザード対策用キャビネットに固定する固定手段と、
を備え、
前記固定手段は、前記パネル部の左右に隣接し、手前側と上下の３方に開口を有する直方体の箱状をなす一対の外気侵入防止枠を有し、
前記外気侵入防止枠の上側の開口が作業室内に連通し、前側の開口が作業室外に連通し、下側の開口が前記複数の吸引口の一部に連通するよう前記バイオハザード対策用キャビネットに付設可能に構成されていることを特徴とするグローブパネル。
【請求項６】
前記パネル部は、
前記グローブ、及び布状の透明樹脂からなるシート部を有するパネル部本体と、
前記パネル部本体を支持するとともに前記固定手段に軸支される枠部と、を有し、
前記パネル部本体が一体的に交換可能である請求項１から請求項５のいずれか1項に記載のグローブパネル。
【手続補正２】
【補正対象書類名】明細書
【補正対象項目名】０００８
【補正方法】変更
【補正の内容】
【０００８】
上記課題を解決するためになされた発明は、作業室と、前記作業室の前方に設けられ上下にスライドして前記作業室を開閉するシャッターと、前記作業室の底壁をなす作業台と、前記シャッターと前記作業台の間に設けられる作業用開口部と、前記作業台の上面前部に開口するとともに前記作業台の手前側の端縁に沿って配列され前記作業室内を負圧にすべく前記作業室内の空気を吸引する複数の吸引口と、を備えたバイオハザード対策用キャビネットの前記作業用開口部を塞ぐように付設されるグローブパネルであって、シート状の透明部材からなるシート部、及び前記シート部を貫通する挿腕孔周縁から延出するグローブを有し、水平軸周りに回動する開き戸に形成されたパネル部と、前記パネル部を軸支するとともに前記バイオハザード対策用キャビネットに固定する固定手段と、を備え、前記パネル部が少なくとも閉じた状態において、前記パネル部の下端部が、前記作業台の上面前部における前記複数の吸引口の存する部分の前後方向の中間を通るようにして、前記パネル部の前後の両方から空気が吸引されるよう前記バイオハザード対策用キャビネットに付設可能に構成されていることを特徴とする。
【手続補正３】
【補正対象書類名】明細書
【補正対象項目名】００１０
【補正方法】変更
【補正の内容】
【００１０】
また、パネル部の後側（作業室内側）だけでなく前側（作業室外側）を通しても吸引口へ空気を吸引することで、パネル部の前後の両方にエアーバリアを形成し、グローブパネルとキャビネットとの間に生じる隙間から菌や塵埃が作業室内へ侵入する前にパネル部の前側で菌等を吸引口から吸引して遮断できるため、作業室へ菌等が侵入することを抑制できる。
【手続補正４】
【補正対象書類名】明細書
【補正対象項目名】００１１
【補正方法】変更
【補正の内容】
【００１１】
前記パネル部は、上端側が開放するよう回動することが好ましく、奥側に倒れるよう回動することが好ましい。
また、本発明のグローブパネルは、前記パネル部の前記作業室側において前記パネル部と平行に配設される長板状の外気侵入防止板を備え、前記パネル部と前記外気侵入防止板との間を通って、前記作業室の空気が前記複数の吸引口に吸引されるよう前記バイオハザード対策用キャビネットに付設可能に構成されていることが好ましく、
前記固定手段が、前記パネル部の左右に隣接し、手前側と上下の３方に開口を有する直方体の箱状をなす一対の外気侵入防止枠を有し、前記外気侵入防止枠の上側の開口が作業室内に連通し、前側の開口が作業室外に連通し、下側の開口が前記複数の吸引口の一部に連通するよう前記バイオハザード対策用キャビネットに付設可能に構成されていることが好ましい。
さらに、前記パネル部は、前記グローブ、及び布状の透明樹脂からなるシート部を有するパネル部本体と、前記パネル部本体を支持するとともに前記固定手段に軸支される枠部と、を有し、前記パネル部本体が一体的に交換可能であることが好ましい。バイオハザード対策用キャビネットでは、グローブだけでなくシート部の内側にも菌や毒物が付着する可能性があるため、グローブ交換時にパネル部本体を一体的に交換可能とすることにより、パネル部本体に付着した毒物や菌等による作業者の被爆をより効果的に抑制することができる。
【手続補正５】
【補正対象書類名】明細書
【補正対象項目名】００１９
【補正方法】変更
【補正の内容】
【００１９】
パネル部本体４は、図３に示すように、ビニール等の布状、あるいはアクリル等の板状の透明樹脂からなるシート部６とグローブ７とを備えている。シート部６は、厚み方向に貫通する貫通孔からなる左右一対の挿腕孔６ａを有し、グローブ７は、挿腕孔６ａの周縁から延出する円筒状の腕部７ａ、及び腕部７ａの延出方向先端の周縁に挿入口周縁を気密に連結される手部７ｂと、を有している。本実施形態では、シート部６と腕部７ｂとが一体に形成されている。腕部７ａの先端開口には不図示の固定用リングが設けられ、手部７ｂの挿入口へ腕部７ａの先端部を挿入したのち、外側から手部の挿入口周縁をゴム製の固定バンドで締め付けることにより、手部７ｂを腕部７ａへ連結する。
【手続補正６】
【補正対象書類名】明細書
【補正対象項目名】００２４
【補正方法】変更
【補正の内容】
【００２４】
固定手段９は、角筒状の長尺部材からなり作業台Ｃ３の手前側端部に載置される敷居部９１と、敷居部９１の左右両端部に連結される一対の外気侵入防止枠９２と、左右一対のラッチ式金具９３とを備えている。
【手続補正７】
【補正対象書類名】明細書
【補正対象項目名】００３４
【補正方法】変更
【補正の内容】
【００３４】
ここで、図９を用いて、外気侵入防止板３の効果について説明する。図９（ｂ）は、外気侵入防止板３を設けない場合を示し、図９（ｃ）は、外気侵入防止板３を設ける場合を示している。図９（ｂ）に示すように、外気侵入防止枠３を設けない場合は、シャッターＣ２と側壁Ｃ８の間から作業室Ｃ１へ侵入した外気Ｐは、作業室Ｃ１内方の作業空間Ｃ１２（図の仮想線より右側）にまで流入した後、給気Ｑの下降流に押されて下降し、吸引口Ｃ４へ吸引される。これに対し、図９（ｃ）に示すように、外気侵入防止板３を設けてこれを起立させると、吸引口Ｃ４が実質的に高くなることで、給気Ｑが、図９（ｂ）の場合より高い位置で手前側へと方向転換し、これにより、上記の隙間から侵入した外気Ｐは作業空間Ｃ１２のより手前側で下降を始めるため、外気Ｐが作業空間Ｃ１２へ侵入することを抑制できる。